(57)【特許請求の範囲】
【請求項１】
互いに異なる複数のポジションに移動可能な操作子と、
前記操作子のポジションに応じて選択可能な機能が変化する第１のモードと、
前記操作子のポジションに応じて選択可能な機能が変化しない第２のモードと、
選択可能な機能から選択された機能に応じた処理を実行する処理部と、
前記第１のモードでは前記操作子のポジションを表示し、前記第２のモードでは前記操作子のポジションを表示しないインジケータと、
を備えることを特徴とする電子機器。
【請求項２】
互いに異なる複数のポジションに移動可能な操作子と、
前記操作子がどのポジションであるかに応じて異なる機能が選択可能な第１のモードと、
前記操作子がどのポジションであっても同じ機能が選択可能な第２のモードと、
選択可能な機能の中から前記操作子の操作に基づいて選択された機能に応じた処理を実行する処理部と、
前記第１のモードでは前記操作子のポジションを表示し、前記第２のモードでは前記操作子のポジションを表示しないインジケータと、
を備えることを特徴とする電子機器。
【請求項３】
回転軸周りに回転または揺動可能であり、前記回転軸方向に異なる複数のポジションに移動可能な操作子と、
前記操作子の回転軸方向のポジションを表示するインジケータと、
前記操作子の回転軸方向のポジションに応じて変わる選択可能な機能から選択された機能に応じた処理を実行する処理部と、
を備え、
前記インジケータは、前記操作子の回転軸方向のポジションに応じて前記選択可能な機能が変化しないときは、前記操作子のポジションを表示しないことを特徴とする電子機器。
【請求項４】
少なくとも、第１のポジションと前記第１のポジションと異なる第２のポジションとに移動可能な操作子と、
前記操作子のポジションに応じて選択可能な機能が変化する第１のモードと、
前記操作子のポジションに応じて選択可能な機能が変化しない第２のモードと、
選択可能な機能から選択された機能に応じた処理を実行する処理部と、
前記第１のモードでかつ前記操作子が前記第１のポジションにある場合に、前記操作子が前記第１のポジションにあることを示す第１の表示を行い、
前記第１のモードでかつ前記操作子が前記第２のポジションにある場合に、前記操作子が前記第２のポジションにあることを示す第２の表示を行い、
前記第２のモードでは、前記第１の表示も前記第２の表示も行わないインジケータと、
を備えることを特徴とする電子機器。
【請求項５】
請求項１乃至４のいずれかに記載の電子機器であって、前記電子機器はディジタルスチルカメラであることを特徴とするディジタルスチルカメラ。
【発明の詳細な説明】
【技術分野】
【０００１】
本発明は電子機器に関し、特に電子機器のＨＭＩ（Human Machine Interface）に関する。
【背景技術】
【０００２】
従来、十字キーを操作してカーソルを上下左右に移動させることにより、画面表示された機能から任意の機能を選択し、選択した機能に応じた処理を実行する電子機器が知られている（例えば特許文献１、２参照）。十字キーは、１つの操作子で多数の機能を選択できることから、多くの電子機器で用いられている。
【先行技術文献】
【特許文献】
【０００３】
【特許文献１】特開平１１−３２７７２１号公報
【特許文献２】特表２００２−５１２７５５号公報
【発明の概要】
【発明が解決しようとする課題】
【０００４】
本発明は、十字キーに代わる操作性のよいＨＭＩの操作子を備えた電子機器を提供することを目的とする。
【課題を解決するための手段】
【０００５】
上記目的を達成するため、本発明に係る電子機器は、メニューが表示される画面を有する表示部と、回転軸周りに回転または揺動可能であり、前記回転軸方向に異なる複数のポジションに移動可能な操作子と、前記操作子の回転軸方向のポジションを前記画面に表示するインジケータと、前記操作子の回転軸方向のポジションに応じて変わる選択可能な機能から前記操作子の回転または揺動に応じて選択される機能に応じた処理を実行する処理部と、を備える。操作子の回転軸方向のポジションを移動すると選択可能な機能を変えられるため、ユーザは１つの操作子で多数の機能を選択できる。またユーザは、インジケータが表示する操作子の回転軸方向のポジションを確認することにより、操作子の回転軸方向のポジションを容易に認識できる。例えば、操作子の回転軸方向の各ポジションの間隔が小さいために操作子を直接見て確認することが困難な場合であっても、操作子の回転軸方向のポジションを容易に認識できる。
【０００６】
さらに本発明に係る電子機器では、前記処理部は、前記選択可能な機能を前記操作子の回転軸方向のポジションに応じて前記画面に表示する。ユーザは、画面に表示される選択可能な機能を確認することにより、操作子の回転軸方向のポジションにおいて選択可能な機能の内容を認識することができる。
【０００７】
さらに本発明に係る電子機器では、前記インジケータは、前記操作子のポジションと前記選択可能な機能を互いに近接する位置に表示する。画面上で操作子の回転軸方向のポジションと選択可能な機能とが近接して表示されるため、操作子の回転軸方向のポジションと選択可能な機能とを同時に把握することができる。
【０００８】
さらに本発明に係る電子機器は、前記処理部は、アクセス可能な画像データが表す画像を前記操作子のポジションと前記選択可能な機能に重ならない前記画面の領域に表示する。操作子のポジションと選択可能な機能が画像に重ならないため、ユーザは画像全体を視認しながら、操作子の回転軸方向のポジション及び選択可能な機能を把握することができる。
【０００９】
さらに本発明に係る電子機器は、前記インジケータは、前記画面の前記操作子に近い方の領域に前記操作子のポジションを表示する。画面の前記操作子に近い方の領域に操作子のポジションが表示されるため、インジケータが操作子のポジションを表示していることを想起しやすい。
【００１０】
さらに本発明に係る電子機器は、前記インジケータは、前記操作子の回転軸方向のポジションに応じて前記選択可能な機能が変化しないときは、前記操作子のポジションを表示しない。ユーザは、インジケータによる操作子の回転軸方向のポジションの表示がないことを確認することにより、実際に操作子を回転軸方向に移動させて操作子の回転軸方向の各ポジションにおいて選択可能な機能を確かめなくても、操作子の回転軸方向のポジションを移動する操作が無意味であることを認識できる。
【図面の簡単な説明】
【００１１】
【図１】本発明の一実施例に係る画面を示す模式図である。
【図２】本発明の一実施例に係るブロック図である。
【図３】本発明の一実施例に係る平面図である。
【図４】本発明の一実施例に係る模式図である。
【図５】本発明の一実施例に係る模式図である。
【図６】本発明の一実施例に係る模式図である。
【図７】本発明の一実施例に係る模式図である。
【図８】本発明の一実施例に係る模式図である。
【図９】本発明の一実施例に係る模式図である。
【図１０】本発明の一実施例に係る画面を示す模式図である。
【図１１】本発明の一実施例に係る画面を示す模式図である。
【図１２】本発明の一実施例に係る画面を示す模式図である。
【図１３】本発明の一実施例に係る画面を示す模式図である。
【発明を実施するための形態】
【００１２】
以下、本発明の実施の形態を示す実施例を図に基づいて説明する。
図２は、本発明に係る電子機器の一実施例としてのディジタルスチルカメラ（ＤＳＣ）１０のハードウェア構成を示すブロック図である。
光学系１２は、レンズ、絞り等で構成され、イメージセンサ１３の受光面に被写体の光学像を結像させる。
イメージセンサ１３は、２次元空間に離散的に配置された画素とＣＣＤ（Charge Coupled Device）等の電荷転送素子とを備えたエリアイメージセンサである。イメージセンサ１３は、光学系１２により結像される光学像を光電変換して得られる電荷を画素毎に一定時間蓄積し、画素毎の受光量に応じた電気信号を出力する。イメージセンサ１３は、受光面にＣ（Cyan）、Ｍ（Magenta）、Ｙ（Yellow）及びＧ（Green）の４色の補色フィルタ、またはＲ（Red）、Ｇ（Green）及びＢ（Blue）の原色フィルタを設けることによりカラー画像情報を取り込むことが可能である。
【００１３】
Ａ／Ｄ変換部（ＡＤＣ）１４は、イメージセンサ１３から出力される電気信号を量子化してディジタル信号に変換する。
ディジタル画像処理部１５は、ＡＤＣ１４から出力されたディジタル信号に対し、画像形成処理、ホワイトバランス補正、ガンマ補正、色空間変換等を施し、各画素についてＲ、Ｇ、Ｂの階調値や、Ｙ、Ｃｂ、Ｃｒの階調値などを表す画像データを作成する。
【００１４】
圧縮・伸張部１６は、作成された画像データを圧縮、又は圧縮された画像データを伸張する。具体的には例えば圧縮・伸張部１６は、作成された画像データを国際規格である非可逆圧縮方式のＪＰＥＧ形式の画像データに圧縮する。尚、圧縮・伸張部１６における圧縮方式は、データの切り捨てを伴わない可逆圧縮方式でもよいし、ＴＩＦＦ形式等の圧縮を行わない方式でもよい。また圧縮・伸張部１６は、ＡＤＣ１４から出力されたディジタル信号に対して画像処理をせず、ＡＤＣ１４からの出力をそのまま取り出したデータ（Ｒａｗ形式の画像データ）を記憶部３０に送出してもよい。
【００１５】
制御部２０は、ＣＰＵ２１、フラッシュメモリ２２、ワークメモリ２３を備える。制御部２０は、特許請求の範囲に記載された処理部及びインジケータとして機能する。ＣＰＵ２１はフラッシュメモリ２２に記憶されている各種のプログラムを実行することでＤＳＣ１０の全体を制御する。フラッシュメモリ２２は、各種のプログラムやデータなどを記憶するメモリである。フラッシュメモリ２２に記憶する各種のプログラムやデータは所定のサーバからネットワークを介してダウンロードして記憶してもよいし、リムーバブルメモリ３１等のコンピュータ読み取り可能な記憶媒体から読み出して記憶してもよい。ワークメモリ２３は、プログラムやデータを一時的に記憶するためのメモリである。
【００１６】
記憶部３０は、リムーバブルメモリ３１を接続するためのカードスロット、メモリコントローラなどを備える。記憶部３０は制御部２０によって制御され、圧縮・伸張部１６で圧縮された画像データをリムーバブルメモリ３１の所定の領域に格納する。また、記憶部３０は制御部２０によって制御され、リムーバブルメモリ３１に記憶されている画像データの読み込みも行う。
電源部３６は、電池３７および制御回路などを備え、各部に電気的に接続されている。電池３７は各部に電力を供給する。
【００１７】
次に、図３に基づいてＤＳＣ１０の外観について説明する。
巻き上げレバー４０によって巻き上げ操作を行うことで、メカニカルシャッターを撮影動作可能にするためのシャッターチャージを行うことができる。この操作により、シャッターボタン４３が押下可能になる。
シャッターボタン４３はダイヤルスイッチ４２の中央部に設置されている。シャッターボタン４３が押下されると、図示しないシャッタスクリーンが所定時間だけ開口し、被写体の光学像がイメージセンサ１３により取り込まれる。
【００１８】
ダイヤルスイッチ４２は、シャッタースピードや撮像条件の種類などを選択するためのスイッチである。
ダイヤルスイッチ４２に近接して設置されている針式の表示装置４４の外周は回転式ダイヤルになっており、露出補正を−２ＥＶ〜＋２ＥＶまで１／３ＥＶ刻みで設定可能である。表示装置４４の内周側には、撮影可能な残り画像数、複数のホワイトバランスの補正モード及び複数の圧縮率が表記されている。ホワイトバランスの補正モードとしては、”オートモード”、”デイライト（太陽光）”、”曇天”、”白熱灯”、”日陰”、”蛍光灯”、”水銀灯”等の補正モードがある。圧縮率としては、例えばＪＰＥＧ形式による画像データの圧縮率を高圧縮率、中圧縮率、低圧縮率等の圧縮率から選択できる。尚、表示装置４４の内周側に表示されている項目のうち現在選択されている項目は、指針によって示されている。
【００１９】
表示部としてのＬＣＤ５０は、ディスプレイコントローラ５２（図２参照）によって制御され、撮影済みのディジタル画像の再生表示や各種の設定メニューなどを表示する。ディスプレイコントローラ５２は、ＬＣＤ５０の一画面分の表示用データを格納するためのフレームバッファと、フレームバッファに格納された表示用データに基づいてＬＣＤ５０を駆動するための表示回路とを備える。尚、ワークメモリ２３の所定の領域をフレームバッファとして利用してもよい。
ＬＣＤ５０の右側には、ＬＣＤボタン５３、ＭＥＮＵボタン５４、ＥＮＴＥＲボタン５５、ＣＡＮＣＥＬボタン５６が設置されている。各ボタンとジョグダイヤル６０とを組み合わせて操作することにより、ＤＳＣ１０の種々の機能を選択できる。
光学ファインダ５８は、ユーザが撮影対象を視認するために使用される。
【００２０】
操作子としてのジョグダイヤル６０は、図３（Ｂ）に示す矢印Ｘ、Ｙ方向に回転可能であり、ジョグダイヤル６０の回転軸方向である図３（Ａ）に示す矢印Ｘ、Ｙ方向に移動可能である。つまりジョグダイヤル６０は、ホームポジションである下ポジション（図４（Ａ）参照）と、下ポジションからジョグダイヤル６０を上に引き上げた上ポジション（図４（Ｂ）参照）とに位置を変更可能であり、上下ポジションにおいて回転可能である。ジョグダイヤル６０の回転軸周りの回転角度、及び回転軸方向の上下ポジションは、図示しないセンサにより検出される。尚、図５および図６に示すように、上ポジションにおいて、ジョグダイヤル６０がＤＳＣ１０の上面から突出しないようにしてもよい。また、図７に示すようにジョグダイヤル６０は、ＤＳＣ１０の側面に配置され、右ポジションと左ポジションとに移動できるように構成されてもよい。また、ジョグダイヤル６０は、上中下のポジションのように３つ以上のポジションに移動できるように構成されてもよい。
【００２１】
図８は、ＤＳＣ１０の機能モードの遷移を表す模式図である。図９は再生モード１１０における機能モードの遷移を表す模式図である。
電源オフ状態１００で電源スイッチ４７を電源オン側に回転させると、撮影モード１０２に移行する。撮影モード１０２においてＬＣＤボタン５３が押されると、再生モード１１０に移行する。撮影モード１０２または再生モード１１０においてＤＳＣ１０の操作を行わず所定の節電移行時間設定に達すると、スリープモード１０４に移行する。スリープモード１０４において、電源スイッチ４７をオフすると電源オフ状態１００に移行し、ＬＣＤボタン５３をオンすると再生モード１１０に移行し、シャッターボタン４３を押すと撮影モード１０２に移行する。再生モード１１０においてＭＥＮＵボタン５４が押されると、メインメニュー１３０に移行してＬＣＤ５０にメニューが表示される。
【００２２】
再生モード１１０は、リムーバブルメモリ３１に記憶されている画像をＬＣＤ５０に表示するモードである。図９に示すように、再生モード１１０においてジョグダイヤル６０が下ポジションにある場合は「コマ送り／戻し」モード１１２であり、ジョグダイヤル６０が上ポジションにある場合は「情報読み出し」モード１１３である。「コマ送り／戻し」モード１１２でジョグダイヤル６０を回転させると、リムーバブルメモリ３１に記憶されている画像が所定の順序で選択され、選択された画像がＬＣＤ５０に表示される。「情報読み出し」モード１１３では、選択されている画像について表示する詳細情報をジョグダイヤル６０の回転に応じて変更することができる。
【００２３】
図１は、「コマ送り／戻し」モード１１２におけるＬＣＤ５０の画面を示す模式図である。図１０、図１１及び図１２は、「情報読み出し」モード１１３におけるＬＣＤ５０の画面を示す模式図である。
「コマ送り／戻し」モード１１２及び「情報読み出し」モード１１３では、ポジションマーク３０１、３０２がＬＣＤ５０の画面下端に位置する所定幅の領域３２０に表示され、領域３２０の上方の領域にリムーバブルメモリ３１に記憶されている画像が表示される。また、「コマ送り／戻し」モード１１２及び「情報読み出し」モード１１３では、「情報読み出し」モード１１３で選択した表示モードに応じた画像の詳細情報が画像に重畳して表示される。「情報読み出し」モード１１３で選択可能な表示モードについては後述する。
【００２４】
ポジションマーク３０１、３０２は特許請求の範囲に記載のインジケータに相当する。ポジションマーク３０１、３０２は、画面内でジョグダイヤル６０の実装位置に近い左端部に表示される。ジョグダイヤル６０の実装位置とポジションマーク３０１、３０２の表示位置とが近いため、ポジションマーク３０１、３０２がジョグダイヤル６０のポジションを表示していることは想起され易い。ポジションマーク３０１、３０２は、上下に配置された２つの円から構成されており、ジョグダイヤル６０の軸方向のポジションに応じて変化する。尚、ジョグダイヤル６０の軸方向のポジションを、ＬＣＤ５０の画面近傍に設けるＬＥＤなどで構成されるインジケータで表示してもよい。また、ポジションマーク３０１、３０２を画面の左上部に表示してもよい。
【００２５】
ジョグダイヤル６０が下ポジションにある「コマ送り／戻し」モード１１２では、図１に示すように、下に配置されている円が上に配置されている円よりも目立つポジションマーク３０１が表示される。具体的には例えば、下の円を上の円よりも大きくし、領域３２０の背景が黒色のときは、上に配置されている円の内部を灰色で塗りつぶし、下に配置されている円の内部を緑色で塗りつぶす。尚、ジョグダイヤル６０が下ポジションにあることを表すマークは、下側に頂点のある三角形「▽」等の１つの図形でもよいし、「下」等の文字でもよい。
【００２６】
ジョグダイヤル６０が下ポジションにある「コマ送り／戻し」モード１１２では、領域３２０のポジションマーク３０１の右隣にアイコン３１１が表示される。アイコン３１１は、画面表示対象の画像を切り換える機能を表している。尚、アイコン３１１に代えて、文字や記号で画面表示対象の画像を切り換える機能を表示してもよい。
【００２７】
ユーザは、ポジションマーク３０１を確認することにより、ジョグダイヤル６０が下ポジションにあることを容易に確認することができる。特にＤＳＣ１０の使用環境が暗いために操作子を直接見て確認することが困難な場合であっても、ＬＣＤ５０がオン状態であれば操作子の回転軸方向のポジションを容易に認識できる。またユーザは、アイコン３１１を確認することにより、画像データを表す画像の順次コマ送り又はコマ戻しが可能であることを容易に認識できる。
【００２８】
ジョグダイヤル６０が上ポジションにある「情報読み出し」モード１１３では、ジョグダイヤル６０を回転させると、選択されている画像について表示される詳細情報が切り替わる。「情報読み出し」モード１１３では、図１１及び図１２に示すように、上に配置されている円が下に配置されている円よりも目立つポジションマーク３０２が表示される。具体的には例えば、上の円を下の円よりも大きくし、領域３２０の背景が黒色のときは、下に配置されている円の内部を灰色で塗りつぶし、上に配置されている円の内部を緑色で塗りつぶす。尚、ジョグダイヤル６０が上ポジションにあることを表すマークは、上側に頂点のある三角形「△」等の１つの図形でもよいし、「上」等の文字でもよい。
【００２９】
ジョグダイヤル６０が上ポジションにある「情報読み出し」モード１１３では、ポジションマーク３０２の右隣にアイコン３１２が表示される。アイコン３１２は、画面に表示する画像の詳細情報を切り換える機能を表している。尚、文字又は記号によって、画面に表示する画像の詳細情報を切り替え可能であることを標示してもよい。
【００３０】
「情報読み出し」モード１１３は、ジョグダイヤル６０の回転角度に応じて選択される標準表示１１４、簡易情報表示１１６、ヒストグラム表示１１８、ハイライト表示１２０、詳細情報表示１２２、ＧＵＩ非表示１２４、及び４分割表示１２６の複数の表示モードの総称である。任意の表示モードでジョグダイヤル６０を下ポジションに移動させると、直前の表示モードに応じた詳細情報が表示される「コマ送り／戻し」モード１１２に移行する。
【００３１】
以下、ジョグダイヤル６０が上ポジションにあるときに選択可能な各表示モードについて説明する。
標準表示１１４では、図１０（Ａ）に示すように、ＬＣＤ５０の右端の領域に「画像番号／総画像数」２００が表示される。簡易情報表示１１６では、図１０（Ｂ）に示すように、ファイル番号と撮影クオリティとを表す文字列２０２、ファイルの削除が禁止されているか否かを表すマーク２０４、及び撮影日時２０６が表示される。ヒストグラム表示１１８では、図１０（Ｃ）に示すように、ヒストグラム２２０が表示される。ハイライト表示１２０では、図１１（Ａ）に示すように、白飛びしている領域が画像上に明示される。図１１（Ａ）では白飛びしている領域をハッチングで表している。詳細情報表示１２２では、図１１（Ｂ）に示すように、ファイル番号と撮影クオリティとを表す文字列２０２、ファイル保護がされているか否かを表すマーク２０４、撮影日時２０６、ファイル名２０８、シャッタースピード２１０、ホワイトバランスの補正モード２１２、解像度２１４、ＩＳＯ感度２１６、及びフィルム設定２１８が表示される。ＧＵＩ非表示１２４では、図１２（Ａ）に示すように、リムーバブルメモリ３１に記憶されている画像が全画面表示され、その他の情報は一切表示されない。４分割表示１２６では、図１２（Ｂ）に示すように、そのとき選択されている画像の画像番号を始めとする連続する４つの画像番号の画像が４分割表示される。４分割表示１２６でジョグダイヤル６０を回転させると、現在選択されている画像の枠が強調される。
【００３２】
次に、メインメニュー１３０におけるジョグダイヤル６０の操作について説明する。メインメニュー１３０の操作中はジョグダイヤル６０が上ポジションにあっても下ポジションにあっても選択可能な機能が変化しない。
メインメニュー１３０では、ジョグダイヤル６０を回転させるとジョグダイヤル６０の上下ポジションに係わらず、削除モード１３２、ロックモード１３４、拡大モード１３６、印刷モード１３８、スライドショーモード１４０及びカメラ設定モード１４２のいずれかを選択できる。メインメニュー１３０では、図１３に示すように、選択されているモードに対応するアイコン５００、５０２、５０４、５０６、５０８、５１０が強調表示される。ジョグダイヤル６０の上下ポジションで選択可能な機能に変化のないメインメニュー１３０では、ジョグダイヤル６０の軸方向のポジションがＬＣＤ５０に表示されない。ユーザは、再生モード１１０で表示されるポジションマーク３０１、３０２がＬＣＤ５０の領域３２０の左隅の領域に表示されていないことを確認することにより、ジョグダイヤル６０の上下のポジションがメインメニュー１３０の操作に無関係であることを認識することができる。
【００３３】
以下、メインメニュー１３０の各モードの機能を簡単に説明する。
削除モード１３２は、リムーバブルメモリ３１から画像データを削除するか否かを決定するモードである。ロックモード１３４は、リムーバブルメモリ３１からの画像データの削除を禁止するか否を決定するモードである。拡大モード１３６は、画像を拡大表示又は縮小表示するモードである。印刷モード１３８は、表示している画像を印刷するか否かを決定するモードである。スライドショーモード１４０は、リムーバブルメモリ３１に記憶されている画像データを表す画像を自動的に順次コマ送り表示するモードである。カメラ設定モード１４２は、白黒表示またはカラー表示、彩度、コントラスト等を設定するモードである。以上説明したメインメニュー１３０の各モードにおけるさらに詳細な機能選択は、ジョグダイヤル６０を含め各種ボタンとの組み合わせで行う。
【００３４】
以上説明した本発明の一実施例に係るＤＳＣ１０によると、ジョグダイヤル６０を上下のポジションに移動すると選択可能な機能を変えることができるため、ユーザはジョグダイヤル６０の操作で多数の機能から所望の機能を選択できる。
またユーザは、ポジションマーク３０１、３０２を確認することにより、操作子の回転軸方向のポジションを容易に認識できる。
【００３５】
また、ユーザは、アイコン３１１、アイコン３１２等を確認することにより、ジョグダイヤル６０の上下のポジションにおいて選択可能な機能の内容を認識することができる。例えばアイコン３１１が確認できれば、ユーザは画像の順次コマ送りまたはコマ戻し表示が可能であることを認識できる。アイコン３１２が確認できれば、画像データの詳細情報の表示が可能であることを認識できる。
【００３６】
また、ポジションマーク３０１、３０２とアイコン３１１、３１２が互いに近接して表示されるため、ＬＣＤ５０の画面上でジョグダイヤル６０の上下のポジションと選択可能な機能とを同時に把握することができる。
また、リムーバブルメモリ３１に記録された画像が表示される領域と、ポジションマーク３０１、３０２、アイコン３１１、３１２等が表示される領域３２０とが重ならないため、ユーザは画像全体を視認しながら、ジョグダイヤル６０の上下のポジション及び選択可能な機能を把握することができる。
【００３７】
また、ポジションマーク３０１、３０２は、領域３２０のジョグダイヤル６０の実装位置に近い領域３２０の左端に表示されるため、ポジションマーク３０１、３０２がジョグダイヤル６０のポジションを表示していることを想起しやすい。
また、ユーザは、領域３２０の左端にポジションマーク３０１、３０２が表示されていないことを確認することにより、実際にジョグダイヤル６０を回転軸方向に回転させてジョグダイヤル６０の上下のポジションにおいて選択可能な機能を確かめなくても、ジョグダイヤル６０の上下のポジションを移動する操作が無意味であることを認識できる。
【００３８】
以上の実施例では、電子機器としてＤＳＣ１０を例示して説明したが、テレビ受像機とそのコントローラ、音楽再生装置本体とそのコントローラなどで構成される電子機器のＨＭＩに本発明を適用してもよい。具体的には例えば、テレビ受像機のリモートコントローラに回転軸方向に移動可能なジョグダイヤル６０を備え、ジョグダイヤル６０の回転軸方向のポジションをテレビ受像機の画面に表示してもよい。
【符号の説明】
【００３９】
１０…ディジタルスチルカメラ（電子機器）、２０…制御部（インジケータ、処理部）５０、ＬＣＤ（表示部）、６０…ジョグダイヤル（操作子）、３０１，３０２…ポジションマーク（インジケータ）。
【図１】
0004811468.tif 000002
【図２】
0004811468.tif 000003
【図３】
0004811468.tif 000004
【図４】
0004811468.tif 000005
【図５】
0004811468.tif 000006
【図６】
0004811468.tif 000007
【図７】
0004811468.tif 000008
【図８】
0004811468.tif 000009
【図９】
0004811468.tif 000010
【図１０】
0004811468.tif 000011
【図１１】
0004811468.tif 000012
【図１２】
0004811468.tif 000013
【図１３】
0004811468.tif 000014